(57)【要約】      （修正有）【課題】所有者自身が撮った写真によりレンチキュラ板を用いた視覚効果を楽しむことができる写真フレームを提供する。【解決手段】表面にレンチキュラレンズ群が形成されたシート状のレンチキュラ板と、レンチキュラ板の裏面側に設けられ、レンチキュラレンズ群を介して観察するための帯状の画像部分と帯状の透明部分とが交互に配置された第一の画像層と、第一の画像層の裏面側に設けられた写真収容部とを備え、レンチキュラレンズ群は、レンチキュラ板の表面に対する第一の角度からレンチキュラ板を見たときに帯状の画像部分が観察可能となり、レンチキュラ板の表面に対する第二の角度からレンチキュラ板を見たときに帯状の透明部分が観察可能となるように設けられる。写真収容部は、印画紙に焼き付けられた写真を第一の画像層の裏面側に配置する手段を備える。【選択図】図１
0003141903.tif 000002
【実用新案登録請求の範囲】
【請求項１】
表面にレンチキュラレンズ群が形成されたシート状のレンチキュラ板と、
前記レンチキュラ板の裏面側に設けられ、前記レンチキュラレンズ群を介して観察するための帯状の画像部分と帯状の透明部分とが交互に配置された第一の画像層と、
前記第一の画像層の裏面側に設けられた写真収容部と
を備え、
前記レンチキュラレンズ群は、前記レンチキュラ板の表面に対する第一の角度から前記レンチキュラ板を見たときに前記帯状の画像部分が観察可能となり、前記レンチキュラ板の表面に対する第二の角度から前記レンチキュラ板を見たときに前記帯状の透明部分が観察可能となるように設けられた
ことを特徴とする写真フレーム。
【請求項２】
前記写真収容部は、印画紙に焼き付けられた写真を前記第一の画像層の裏面側に配置する手段を備えた請求項１記載の写真フレーム。
【請求項３】
前記第一の画像層には、予めキャラクタの画像が印刷され、このキャラクタの画像のサイズおよび位置は、前記写真が人物の写真であると想定した場合の人物のサイズおよび位置に対応して設定された請求項２記載の写真フレーム。
【考案の詳細な説明】
【技術分野】
【０００１】
本考案は、表面にレンチキュラレンズ群が形成されたシート状のレンチキュラ板を用いた写真フレームに関する。
【背景技術】
【０００２】
表面にレンチキュラレンズ群が形成されたシート状のレンチキュラ板を利用し、観る角度を変化させることによって異なる複数の画像を表示させたり、一つの画像を立体的に表示させるなどの視覚効果を楽しむための技術が広く用いられている。その多くは、アニメや映画などに登場するキャラクタの画像や風景の画像などを製造業者側が用意し、この画像とレンチキュラ板とを組み合わせた製品（絵葉書や写真パネルなど）として製造販売されている。
【０００３】
他の例としては、レンチキュラ板を利用した立体画像を写真フレームの装飾用の縁取りとして用い、写真フレームの中心に、任意の写真を入れて楽しむ写真フレームが提案されている（例えば、特許文献１参照）。
【０００４】
【特許文献１】特開２０００−４１８０９号公報
【考案の開示】
【考案が解決しようとする課題】
【０００５】
従来のレンチキュラ板を用いた視覚効果を楽しむための製品は、製造業者側が用意した画像を用いたものばかりであり、任意の写真を用いてレンチキュラ板を用いた視覚効果を楽しむものは存在していない。
【０００６】
特許文献１の写真フレームにおいても任意の写真は、単に、レンチキュラ板を用いた装飾の縁取りの中央に位置するだけであり、レンチキュラ板を用いた視覚効果を直接享受してはいない。
【０００７】
本考案は、このような課題を解決するために行われたものであって、任意の写真によりレンチキュラ板を用いた視覚効果を楽しむことができる写真フレームを提供することを目的とする。
【課題を解決するための手段】
【０００８】
本考案は、写真フレームであって、本考案の特徴とするところは、表面にレンチキュラレンズ群が形成されたシート状のレンチキュラ板と、前記レンチキュラ板の裏面側に設けられ、前記レンチキュラレンズ群を介して観察するための帯状の画像部分と帯状の透明部分とが交互に配置された第一の画像層と、前記第一の画像層の裏面側に設けられた写真収容部とを備え、前記レンチキュラレンズ群は、前記レンチキュラ板の表面に対する第一の角度から前記レンチキュラ板を見たときに前記帯状の画像部分が観察可能となり、前記レンチキュラ板の表面に対する第二の角度から前記レンチキュラ板を見たときに前記帯状の透明部分が観察可能となるように設けられたところにある。
【０００９】
前記写真収容部は、印画紙に焼き付けられた写真を前記第一の画像層の裏面側に配置する手段を備えることができる。
【００１０】
また、例えば、前記第一の画像層には、予めキャラクタの画像が印刷され、このキャラクタの画像のサイズおよび位置は、前記写真が人物の写真であると想定した場合の人物のサイズおよび位置に対応して設定される。
【考案の効果】
【００１１】
本考案によれば、任意の写真によりレンチキュラ板を用いた視覚効果を楽しむことができる。
【考案を実施するための最良の形態】
【００１２】
本考案の実施形態の写真フレームを図１から図９を参照して説明する。図１は、本考案の実施形態の写真フレームを正面から見た図である。図２は、本考案の実施形態の写真フレームを側面から見た図である。図３は、第一の画像層４を正面から見た図である。図４は、第一の画像層４の構成を示す図である。図１および図２に示すように、本考案の写真フレームは、表面にレンチキュラレンズ群１が形成されたシート状のレンチキュラ板２と、レンチキュラ板２の裏面側に設けられ、レンチキュラレンズ群１を介して観察するための帯状の画像部分４０と帯状の透明部分４１とが交互に配置された第一の画像層４と、第一の画像層４の裏面側に設けられた写真収容部３とを備え、レンチキュラレンズ群１は、レンチキュラ板２の表面に対する第一の角度からレンチキュラ板２を見たときに帯状の画像部分４０が観察可能となり、レンチキュラ板２の表面に対する第二の角度からレンチキュラ板２を見たときに帯状の透明部分４１が観察可能となるように設けられる。
【００１３】
写真収容部３は、印画紙に焼き付けられた写真を第一の画像層４の裏面側に配置する手段を備える。なお、この配置する手段としては、従来からある写真フレームの有する写真保持手段と同じであるので、詳細な説明は省略する。
【００１４】
第一の画像層４には、予めキャラクタ（図３の例ではライオンの顔）の画像が印刷され、このキャラクタの画像のサイズおよび位置は、写真収容部３に収容する写真が人物の写真であると想定した場合の人物のサイズおよび位置に対応して設定されている。
【００１５】
次に、第一の画像層４について図３および図４を参照して説明する。図３に示す第一の画像層４において、縦線によるハッチングの部分は、図４に示すように、複数の帯状の画像部分４０と帯状の透明部分４１とから構成される。すなわち、画像が描かれている部分と、透明な部分とが交互にほぼ等間隔に配置された構成である。なお、図３の例では、第一の画像層４の中央部に楕円形で画像を設けたが、画像を設ける範囲および形状は任意に設定することができる。
【００１６】
次に、写真収容部３に収容される写真５の例を説明する。図５は、写真フレームの所有者自身が撮った写真５の例を示す図である。図５の例では、人物（例えば写真フレームの所有者）の上半身が写っている。この写真５は、表面（画像が印画されている面）が第一の画像層４における画像（ライオンの顔が描かれた楕円形の部分）の裏面に接するようにして写真収容部３に収容されている。
【００１７】
次に、本考案の実施形態におけるレンチキュラ板２を用いた視覚効果について図６を参照して説明する。図６に示すように、レンチキュラ板２には、レンチキュラレンズ群１が設けられている。レンチキュラレンズ群１は線状の凸レンズ（カマボコ状）が複数並んでいる構成であり、観る角度に応じて第一の画像層４に描かれた帯状の画像部分４０のみが見える場合（実線矢印）と、第一の画像層４の帯状の透明部分４１を透過してその裏面にある写真５の画像のみが見える場合（破線矢印）とがある。その状況を図７に示す。図７は、写真フレーム６を観る角度に応じて写真５の画像（人物の上半身）のみが見える場合（図７の上図）と、第一の画像層４に描かれた画像（ライオンの顔）のみが見える場合（図７の下図）とがあることを表す図である。
【００１８】
図８は、人物の上半身の画像が見える角度（第二の角度：図７の上図）を示す図である。図９は、ライオンの顔の画像が見える角度（第一の角度：図７の下図）を示す図である。すなわち、鑑賞者が写真フレーム６を鑑賞するときの視線の角度を一定にしたときに、図８に示すように視線の角度から＋α度右方向に傾けた位置では、人物の上半身の画像を観ることができる。また、図９に示すように視線の角度から−α度左方向に傾けた位置では、ライオンの顔の画像を観ることができる。
【００１９】
（他の実施形態）
図１に示したレンチキュラレンズ群１の例では、縦長のレンチキュラレンズを横並びに配置している。これに対し、他の実施形態として、横長のレンチキュラレンズを縦並びに配置することもできる。この場合には、図３および図４に示す第一の画像層４についても、帯状の画像部分４０と帯状の透明部分４１とが縦並びに交互に配置されることになる。よって、写真フレーム６を動かす方向も、図７〜図９に示すように、縦軸に対して左右に回動させるのではなく、横軸に対して前後に回動させることになる。
【００２０】
また、上記実施形態の説明では、図３に示す第一の画像層４における中心の画像（図３ではライオンの顔）の周囲の画像（図３では花模様）については言及していないが、これら中心の画像の周囲の画像についてもレンチキュラレンズ群１による視覚効果により立体視できるなど、中心の画像を引き立てる有効な演出効果を持たせることができる。
【００２１】
（写真フレーム６の使い方）
例えば、写真５は人物画像であり、この人物画像と予め第一の画像層４に印刷されているキャラクタの画像とが写真フレーム６を観る角度に応じて入れ替わって見える。キャラクタの画像は、様々なキャラクタを用意しておき、例えば、写真５の人物と良く似ている有名なキャラクタの画像を用いれば、人物とキャラクタとを対比させ、その類似度を楽しむといったことに使用できる。あるいは、写真フレーム６の作用を知らない第三者が画像の入れ替わりを見て驚く様子を楽しむといったことに使用できる。
【産業上の利用可能性】
【００２２】
本考案によれば、任意の写真によりレンチキュラ板を用いた視覚効果を楽しむことができるので、レンチキュラレンズ応用商品の販路を拡大することができる。
【図面の簡単な説明】
【００２３】
【図１】本考案の実施形態の写真フレームを正面から見た図である。
【図２】本考案の実施形態の写真フレームを側面から見た図である。
【図３】第一の画像層を正面から見た図である。
【図４】第一の画像層の構成を示す図である。
【図５】写真フレームの所有者自身が撮った写真の例を示す図である。
【図６】本考案の実施形態におけるレンチキュラ板を用いた視覚効果について説明する図である。
【図７】写真フレームを観る角度に応じて第一の画像層に描かれた画像のみが見える場合と、写真の画像のみが見える場合とがあることを表す図である。
【図８】人物の上半身の画像が見える角度を示す図である。
【図９】ライオンの顔の画像が見える角度を示す図である。
【符号の説明】
【００２４】
１  レンチキュラレンズ群
２  レンチキュラ板
３  写真収容部
４  第一の画像層
５  写真
６  写真フレーム
４０  帯状の画像部分
４１  帯状の透明部分
【図１】
0003141903.tif 000003
【図２】
0003141903.tif 000004
【図３】
0003141903.tif 000005
【図４】
0003141903.tif 000006
【図５】
0003141903.tif 000007
【図６】
0003141903.tif 000008
【図７】
0003141903.tif 000009
【図８】
0003141903.tif 000010
【図９】
0003141903.tif 000011